(57)【特許請求の範囲】
【請求項１】
デジタル及びアナログ画像記録装置の製造方法であって、
光に露出することによって画像の形成が可能であり、データをデジタル方式で記録することも可能な感光性の媒体を設けるステップと、
近接場画像形成装置を用いて、アナログ及びデジタル画像を前記媒体に形成するステップと、を備え、
前記近接場画像形成装置は、それぞれがデジタル的に読み出し可能なデジタルビットとなる離散的かつ光学的な複数のアナログ画像を形成し、
前記複数のアナログ画像は、デジタルデータストリームを構成し、前記アナログ画像の少なくとも１つは前記近接場画像形成装置によって光学的に画像として読み出すことができることを特徴とする方法。
【請求項２】
請求項１に記載の方法において、
前記近接場画像形成装置は、５００μｍ以下の寸法を有する前記アナログ画像を形成することを特徴とする方法。
【請求項３】
デジタルデータが形成される材料から構成されたデータ記録装置であって、
前記デジタルデータは、光に露出することによって形成される離散的かつ光学的な複数のアナログ画像の要素から構成され、
前記複数のアナログ画像の要素は、デジタル的に読み出し可能なデジタルビットを構成し、
前記複数のアナログ画像は、それぞれが５００μｍ以下の寸法を有すると共に、デジタルデータストリームを構成し、
前記複数のアナログ画像のうち少なくとも１つは近接場画像形成装置によって光学的に画像として読み出すことができることを特徴とするデータ記録装置。
【発明の詳細な説明】
【０００１】
【発明の属する技術分野】
本発明は、デジタル及びアナログ記録を作成するために使用される物、システム及び方法に関する。
【０００２】
【従来の技術】
光学における近年の発展により、以前に実現されたものより遥かに小さな長さスケールでの材料の露光方法が提供されている。こうした近接場光学方法は、アパーチャやレンズを露光される試料又は材料の表面に極めて接近して配置することにより実現される。光学素子（アパーチャ又はレンズ）と材料の表面との距離が極めて小さいため、アパーチャ又はレンズの位置決め制御のための特別な方法が必要とされている。米国特許第５，２７２，３３０号において、ベッチギ及びトラウトマンは、微小領域を照射する手段としてテーパ光ファイバの用いることを開示している。なお、１０ｎｍ寸法の領域を照射することが今日では比較的一般的となっている。この場合、ファイバの先端位置は、目標表面から数ｎｍ（一般には１０から５０ｎｍ）内に維持されている。他には、ソリッドイマージョンレンズ（ＳＩＬ）を使用した露光手段が開発されている（例えば、キュー．ウー、エル．ギスレイン及びブイ．ビー．エリングスによる、Proc IEEE No.88 Vol.9(2000)pp1491-1498）。ＳＩＬは、目標表面から約０．３μｍ以内に位置決めされており、これには、テーパ光ファイバの場合と同様、特別なナノ位置決め技術が使用されている。ＳＩＬ技術には、レンズが正確な画像化能力を備えるという利点がある。すなわち、実体の特徴を縮小して空間的範囲の画像に忠実に再現される利点がある。ＳＩＬの場合、作成される画像は、従来又は古典的な光学を使用して達成される画像寸法より極めて小さなものになる。このような従来の光学では回折限界があると言われており、画像の最小特性寸法が物理的な回折によって制限されているからである。ＳＩＬ又は他の近接場光学方法により作成される画像は、従来の光学システムで作成されるものより空間的範囲において極めて小さく、かつ、判読可能である。近接場光学は、１つのマークを記録媒体に作るために使用されると共に、従来の光学顕微鏡を用いて読取不可能であった画像を読み取るために使用されている。
【０００３】
【特許文献１】
米国特許第５，２７２，３３０号明細書
【非特許文献１】
Proc IEEE No.88,vol.9,(2000)pp1491-1498
【０００４】
【発明が解決しようとする課題】
画像記録に対する従来技術の問題は、１つの画像検索方法に依存していることである。例えば、デジタルデータ記録システムにおいてデータはデジタルファイルに符号化され、光学システムにおいてはアナログ画像が記録される。デジタルファイルが書き込まれると、読取装置に対してデータが記録された方法を指定するためにプロトコル又は階層ファイル構造が使用される。時代の経過と共に、デジタルファイルとしてデータを符号化する様々な手段を含んだ記録又は書込み方法は進化し、ファイルを読み出すために使用される装置及び媒体は変化し、陳腐化する。その結果、これらのファイルを検索することは不可能とまではいかないが、大変困難なものとなる。一方、画像がデータの記録及び記録の手段として用いられる場合では、データを記録及び記録するために、デジタル方法に比べて大容量の記憶領域が記録媒体に要求され、様々な資源が必要となる。
【０００５】
本発明における近接場技術は、小画像の作成に使用される露光手段、及び、これらの画像を使用して新しい画像記録システムを作成する手段を提供する。この新しい画像記録システムは、アナログ及びデジタルの記録手段が混在可能なものである。このような混在モード記録システムでは、デジタル記録方式の仕様から離れた検索手段を用いた画像記録手段を提供できると共に、従来の画像記録手段より少ない記憶領域を必要とする点で有利である。
【０００６】
【課題を解決するための手段】
本発明の１つの形態は、デジタル及びアナログ画像記録装置の作成方法であって、露光することで画像の形成が可能であり、データをデジタル形式で記録することも可能な感光性の媒体を設けるステップと、近接場画像形成装置を用いてアナログ及びデジタル画像を前記媒体に形成するステップと、を備え、前記近接場画像形成装置は、それぞれがデジタル的に読み出し可能なデジタルビットとなる離散的かつ光学的な複数のアナログ画像を形成し、前記複数のアナログ画像は、デジタルデータストリームを構成し、前記アナログ画像の少なくとも１つは前記近接場画像形成装置によって光学的に画像として読み出すことができることを特徴とする方法を提供する。
【０００７】
本発明の他の形態は、デジタルデータが形成される材料から構成されたデータ記録装置であって、前記デジタルデータは、光に露出することによって形成される離散的かつ光学的な複数のアナログ画像の要素から構成され、前記複数のアナログ画像の要素は、デジタル的に読み出し可能なデジタルビットを構成し、前記複数のアナログ画像は、それぞれが５００μｍ以下の寸法を有すると共に、デジタルデータストリームを構成し、前記複数のアナログ画像のうち少なくとも１つは近接場画像形成装置によって光学的に画像として読み出すことができることを特徴とするデータ記録装置を提供する。
【０００８】
本発明の他の形態は、記録装置にデジタルデータ及び画像データを符号化し、デジタルデータの読み取りに干渉することなく、形成された光学画像又は光学画像の一部が光学的に読み取り可能な方法であって、デジタルデータを記録装置に形成するステップと、別のステップにおいて光学画像を記録装置に形成するステップと、を含む方法を提供する。
【０００９】
本発明の他の形態は、光学画像を保持することが可能な感光性層を有し、デジタル的に読み取り可能なデジタル方式を用いて前記光学画像が書き込まれる記録装置を提供する。
【００１０】
本発明の上記及び他の形態、目的、特徴及び利点は、下記の好適な実施形態の詳細な説明、特許請求の範囲及び添付図面を参照することにより、より明確に理解され、認識されるであろう。
【００１１】
【発明の実施の形態】
本発明は、好適な実施形態を参照して詳細に説明されてきたが、変形及び変更が本発明の意図及び目的の範囲内で有効であることは理解されるであろう。
【００１２】
デジタル／アナログ記録システムは、デジタルデータ「ビット」（例えば、後述する光学ディスク等の記録媒体上のマーク）を備え、このデジタルデータ「ビット」は、図１（ｂ）に示すように、アナログの「近接場光学画像」又はアナログ画像の部分を指す。データビット１９は、デジタル記録としてデジタル的に読み取り可能であり、画像としてアナログ的に読み取ることも可能なサイズである。データビットの寸法は、画像に必要な寸法及び解像度に依存し、１０μｍから５００μｍのオーダとすることができる。イメージング装置を用いた画像化の方法を図３に示す。ここでは、近接場光学が用いられる。この方法は、特定のデジタルファイルフォーマットから独立した画像の保管記録を提供する。
【００１３】
図１（ａ）に媒体５の平面図を示す。図示した実施形態では、媒体５は光学ディスクである。媒体５は、ＣＤ−ＲＯＭ、書き込み可能なＣＤ、ＤＶＤ、書き込み可能なＤＶＤ、デジタル光学テープ等、種々の媒体のいずれか１つであればよい。媒体５は、図１（ｂ）の拡大平面図に示すように、デジタルストリーム２０内にデジタルビット１９として記録された複数の近接場光学画像１０を含む。図１（ｂ）は、データストリーム２０を形成する画像１０の１つを図示するものであり、データストリーム２０は、図１（ｂ）に示すように、デジタル的に記録されたものと現実的に等しい画像である。画像１０の画像の長さｌは、約５００μｍより大きくないことが好ましい。画像１０は、円形、正方形、長方形、楕円形等であってよい。複数の画像１０は、媒体５上に、近接場光学を用いて形成される。これは、図３に後述する。デジタルデータストリーム２０は、１６又は３２ビットのデータストリームパターンで構成される複数の画像１０を形成することにより生成される。そのスタートビット及びストップビットは、例えば、ランレングス符号化等の周知のデジタルデータの読み出し及び復号化の方法を用いて読み出し及び復号可能である。
【００１４】
図２（ａ）に、媒体５の断面図を示す。媒体５は、支持部材１２を備える。図示された特定の実施形態において、支持部材１２はポリカーボネートである。支持部材１２上には、画像層１６が設けられる。この画像層１６は、支持部材１２を直接被覆するように設けることもできる。画像層１６は、異なる波長の光によって露光されると、その特性を変える（感光性）材料で構成されている。この材料としては、例えば、フォトクロミック分子、蛍光材料及び／又は銀ハロゲン乳剤が挙げられる。図示の実施形態では、画像層１６は、支持部材１２を直接覆うように設けられているが、当業者には周知の様に、画像層および支持部材は全く同一のものであってもよい。必要であれば、保護層３３を画像層１６上に設けてもよい。保護層３３はアクリル、アクリルポリマー、ビニールポリマー、ポリウレタン、ポリエステル等によって形成してもよい。また、保護層３３は、化学蒸着法を用いて、酸化物及び／又は窒化物等の材料によって形成されることもある。いずれの場合においても、こうした近接場記録方法が用いられる場合、保護層は、１００ｎｍのオーダの最大厚さｔ１を有するものとする。
【００１５】
図２（ｂ）に、本発明における変更された媒体５の断面図を示す。図示された特定の実施形態において、変更された媒体５は、デジタル記録面「Ａ」及びアナログ記録面「Ｂ」を有する。支持部材１２は、例えば、ポリカーボネートである。デジタル記録層１４は、支持部材１２の上面１７に設けられる。デジタル記録層１４は染料であり、例えば、金属化フタロシアニンである。保護層３３は、デジタル記録層１４を覆うように設けることができる。アナログ画像層３６は、支持部材１２の下面３４に設けられる。アナログ画像層３６としては、例えば、フォトクロミック分子、蛍光材料及び／又は銀ハロゲン乳剤を用いるとよい。保護層３７は、アナログ画像層３６を覆うように設けることができる。保護層３３，３７はアクリル、アクリルポリマー、ビニールポリマー、ポリウレタン、ポリエステル等によって形成してもよい。また、保護層３３，３７は、化学蒸着法を用いて、酸化物及び／又は窒化物等の材料によって形成されることもある。いずれの場合においても、保護層は、１００ｎｍのオーダの各々最大厚さｔ１及びｔ２を有することができる。
【００１６】
図２（ｃ）に、本発明における更に変更された媒体５の断面図を示す。なお、同一符号は、上述のものと同一の部分及び作用を示す。図示された特定の実施形態において、変更された媒体５、独立したアナログ記録層１６及び独立したデジタル記録層１４は、支持部材１２と同じ側に設けられている。アナログ画像層１６としては、例えば、フォトクロミック分子、蛍光材料及び／又は銀ハロゲン乳剤が挙げられる。デジタル記録層１４は染料であり、例えば、金属化フタロシアニンである。保護層３３は、アナログ記録層１６を覆うように設けることができる。保護層３３は、アクリル、アクリルポリマー、ビニールポリマー、ポリウレタン、ポリエステル等によって形成されることがある。また、保護層３３は、化学蒸着法を用いて、酸化物及び／又は窒化物等の材料によって形成されることもある。いずれの場合においても、保護層は、１００ｎｍのオーダの最大厚さｔ１を有するものである。本実施形態では、アナログ記録層１６は、デジタル記録層１４を直接覆うように設けられている。当業者には周知であるが、これらの２つの層の間に図示されていない基板が必要な場合もある。
【００１７】
図３に、画像（群）１０を媒体５に形成するための装置５０を示す。対象５１は、媒体５に形成される画像１０を巨視的に表したものである。対象５１から光を受けることにより、画像１０を画像層１６に形成する。光源５３からの光線４９は、ビームスプリッタ５５から反射し、レンズシステム６２を介して対象５１で反射し、従来設計の対物レンズ５４を介してソリッドイマージョンレンズ（ＳＩＬ）５６に入射する。ステージ５７に載置された媒体５は、臨界距離ｆ内に置かれる。このシステムによって形成された画像は、層１６上において高い水平空間分解能を有する。光線５２は、従来設計の対物レンズ５４を通過し、ソリッドイマージョンレンズ（ＳＩＬ）５６に入射する。ＳＩＬ５６は、位置決め装置５８を用いて、使用中の特定のレンズに適した近接場結合限界距離以内に位置決めされる。欧州特許第１，０８３，５５３号は、ＳＩＬを記録面から適切な距離に位置決めするための手段の一例を挙げており、本願に引用して援用する。このような位置決め装置は、ハードディスク記録装置に使用される様な、浮上型ヘッドであってもよい。また、ナノまたはマイクロ位置決め技術には当該技術として広く知られるものがある。画像１０は、様々なソースから得ることができ、例えば、照らされた物体、ネガ、印刷物及び／又はソフトコピーディスプレイから得ることができる。ソフトコピーディスプレイは、ＣＲＴ、ＯＬＥＤ又は他の同型装置であってもよい。画像１０は、モノクロ又はカラーのいずれであってもよい。
【００１８】
図４に、本発明における方法のフローチャートを示す。本方法は、画像１０を形成するために、特徴的な画像のデジタルファイルを作成するものである。画像のデジタルファイルは、ステップ１００において得られる。こうした画像のデジタル化方法は、当業者には周知である。デジタルファイルは、印刷物等のネガ又はハードコピーをスキャンしたり、デジタルカメラ、ＣＤ、フレキシブルディスク、メモリスティック、ＰＣＭＣＩＡカード等の記憶装置から得ることができる。画像のデジタル表示は、様々な手段の内のいずれか１つ、例えば、ランレングス符号化により符号化される。デジタル画像１０の対象５１は、ステップ１１０において、ソフトコピーディスプレイ等の様々な手段を用いて生成される。画像１０は、白黒又はカラーのいずれであってもよい。ソフトコピーディスプレイは、ＣＲＴ、有機発光ダイオード（ＯＬＥＤ）ディスプレイ又は他の同型装置であってもよい。ステップ１２０において、画像１０は、近接場光学を使用して媒体５上に形成され、画像１０のデジタル記録及びアナログ記録が作成される。デジタル記録の形成は、一般的に、記録媒体へのマーク又はピットの形成を含む。既に符号化されたデータは、電子信号を記録することにより読み出される。この電子信号は、マークの存在により変化する光反射レベルを示す。アナログ記録では、画像は、反射率又は蛍光信号の変化を含む様々な手段を用いて読み出される。しかし、この場合には、追加の媒体が必要条件となっている。この媒体は、白黒画像だけが求められるすべてのものではない限り、元画像における強度変化を取り込むことができる応答ダイナミックレンジを有する必要がある。
【００１９】
次に、図５（ａ）を参照して、光学（アナログ）手段又はデジタル手段により検索することができる既に層に記録された画像層１６に記録された画像１０を説明する。画像１０は、媒体５をスキャン又は光学的調査することによってアナログ方法を介して検索される。媒体５からアナログ方法を用いて画像１０を検索するために、拡大するためのイメージング装置８０を使用して画像１０を照会することができる。光源８４からの光線８２は、ビームスプリッタ８６から反射し、従来設計の対物レンズ８８を通過して、ソリッドイマージョンレンズ（ＳＩＬ）９０に入射する。ステージ９２に載置された光学ディスク形式の媒体５は、臨界距離ｆ内に設置される。ＳＩＬ９０は、位置決め装置９４を用いて、使用中の特定のレンズに適した近接場結合限界距離以内に位置決めされる。このような位置決め装置は、ハードディスク記録装置に使用される様な浮上型ヘッドであってもよい。光線８２は、媒体５の画像層１６上の画像１０から反射し、ＳＩＬ９０、対物レンズ８８及びビームスプリッタ８６を通過し、レンズシステム９８によって画像１０がセンサ９６に形成される。
【００２０】
さらに、図５（ａ）を参照すると、当業者には周知であるように、デジタルにより記録された画像１０は、レーザ９１、光検出器９３並びに論理、制御及びメモリ装置９５を使用するデジタル手段により検索できる。
【００２１】
次に、図５（ｂ）に、装置８０により検索された画像１０の拡大図を示す。イメージング装置８０を使用して、画像１０は確認のために表示される。
【００２２】
次に、図６（ａ）及び（ｂ）に、本発明における変更された媒体５の平面図を示す。図示の実施形態において、変更された媒体５は光学ディスクである。変更された媒体５はＣＤ−ＲＯＭ、書き込み可能なＣＤ、ＤＶＤ、書き込み可能なＤＶＤ、デジタル光学テープ等の種々の媒体のいずれか１つであればよい。変更された媒体５は、図２（ｂ）に示すように、図６（ｃ）及び（ｄ）に示す画像２４０，２５０のデジタル記録２００を表す面「Ａ」（図６（ａ））と、図６（ｃ）及び（ｄ）に示す画像２４０，２５０のアナログ記録２２０，２３０を表す面「Ｂ」から構成される。変更された媒体５では、画像のデジタル記録２００及びアナログ記録２２０共に同一の媒体５に記録することができる。
【００２３】
図６（ｃ）は、画像２４０の一例を示す。これは、デジタル記録２００の一部を構成する。同じ画像２４０は、アナログ記録２２０として示されるように近接場光学イメージングを用いて面「Ｂ」に（アナログ的に）記録される。
【００２４】
図６（ｄ）は、画像２５０の一例を示す。これは、デジタル記録２００の一部を構成する。同一の画像２５０は、アナログ記録２３０として示されるように近接場光学イメージングを用いて面「Ｂ」に（アナログ的に）記録される。
【００２５】
次に、図７では、光学的に面「Ｂ」（図６（ｂ）参照）に記録された画像１０は、光学的（アナログ）手段により検索され、面「Ａ」（図６（ａ）参照）のデジタル記録２００に記録された画像１０は、デジタル手段により検索される。面「Ｂ」の画像１０は、アナログ方法を経て、近接場光学イメージングを使用して媒体５を光学的に調べることによって検索される。アナログ方法を用いて媒体５から画像１０を検索するために、画像１０を拡大するためのイメージング装置８０を用いて調べることができる。光源８４からの光線８２は、ビームスプリッタ８６から反射し、従来設計の対物レンズ８８を通過して、ソリッドイマージョンレンズ（ＳＩＬ）９０に入射する。ステージ９２に載置された光学ディスク形式の変更された媒体５は、臨界距離ｆ内に設置される。ＳＩＬ９０は、位置決め装置９４を用いて、使用中の特定のレンズに適した近接場結合限界距離以内に位置決めされる。このような位置決め装置は、ハードディスク記録装置に使用される様な浮上型ヘッドであってもよい。光線８２は、媒体５上の画像１０から反射し、ＳＩＬ９０、対物レンズ８８及びビームスプリッタ８６を通過し、画像１０を画像化する。画像１０は、レンズシステム９８によりセンサ９６上に画像化することもできる。これは、変更された媒体５を透過する光源９９からの光線９７が、画像１０を照射することにより達成される。
【００２６】
画像１０は、当業者には周知であるように、レーザ９１、光検出器９３並びに、論理、制御及びメモリ装置９５を使用するデジタル手段によって、面「Ａ」のデジタル記録２００からも検索できる。
【００２７】
次に、図８（ａ）に、本発明における更に変更された媒体５の平面図を示す。なお、同一の符号は、上述の説明と同一の部分及び作用を示す。図示された特定の実施形態において、変更された媒体５は光学ディスク（図２（ｃ）に記載の通り）であり、独立したアナログ記録層１６及び独立したデジタル記録層１４は媒体５の同じ側に設けられている。デジタル記録層１４は、アナログ記録層１６の下にある。変更された媒体５はＣＤ−ＲＯＭ、書き込み可能なＣＤ、ＤＶＤ、書き込み可能なＤＶＤ等の種々の媒体のいずれか１つであればよい。変更された媒体５は、デジタル記録２６０，２７０及びアナログ記録２８０，２９０を記録する。矢印２８２，２８３，２８４，２８５は、図６（ｃ）及び（ｄ）に示したような画像が、媒体５に沿って円形に広がっても良いことを示す。変更された媒体５では、画像のデジタル記録２６０，２７０及びアナログ記録２８０，２９０共に、媒体５の同じ側に存在させることができる。
【００２８】
次に、図８（ｂ）に、本発明における更に変更された媒体５の平面図を示す。なお、同一の符号は、上述の説明と同一の部分及び作用を示す。図示された特定の実施形態において、変更された媒体５は光学ディスク（図２（ｃ）に記載の通り）であり、独立したアナログ記録層１６及び独立したデジタル記録層１４は、媒体５の同じ側に設けられている。図示された特定の実施形態において、アナログ記録２８０及び２９０は領域「Ｃ」に形成されてもよく、また、デジタル記録２６０及び２７０は領域「Ｄ」に形成されてもよい。
【００２９】
図９に、更に別の形態における装置５０を示す。これは、デジタルデータストリーム２０及びアナログ画像１０の両者を、本発明によって製造された媒体５上に形成するものである。なお、同一の符号は、上述の説明と同一の部分及び作用を示す。データストリーム２０は、当業者には周知なように、レーザ９１、光検出器９３並びに論理、制御及びメモリ装置９５を用いてデジタル記録層１４に記録される。対象５１のアナログ画像１０は、対象５１から光を受けることにより、画像層１６に形成される。光源５３からの光線４９は、ビームスプリッタ５５から反射し、レンズシステム６２を介して対象５１において反射し、従来設計の対物レンズ５４を通過して、ソリッドイマージョンレンズ（ＳＩＬ）５６に入射する。ステージ５７に載置された媒体５は臨界距離ｆ内に設置され、このようなシステムによって形成された画像は層１６において高い水平空間分解能を有する。光線５２は、従来設計の対物レンズ５４を通過し、ソリッドイマージョンレンズ（ＳＩＬ）５６に入射する。ＳＩＬ５６は、位置決め装置５８を用いて、使用中の特定のレンズに適した近接場結合限界距離以内に位置決めされる。欧州特許第１，０８３，５５３号は、ＳＩＬを記録面から適切な距離に位置決めするための手段の一例を挙げており、本願に引用して援用する。このような位置決め装置は、ハードディスク記録装置に使用される様な浮上型ヘッドであってもよい。または、ナノ又はマイクロ位置決め技術として、当該技術に広く知られるものもある。画像１０は、様々なソースから得ることができ、例えば、照らされた物体、ネガ、印刷物及び／又はソフトコピーディスプレイから得ることができる。ソフトコピーディスプレイはＣＲＴ、ＯＬＥＤ又は他の同型装置であってもよい。画像１０は、モノクロ又はカラーのいずれであってもよい。
【００３０】
以上のように、本発明は、画像記録装置及びその製造方法を提供するものであり、この記録装置は、光画像を保持可能な感光層を含むとともに、その光画像は、デジタルによっても読み取り可能なデジタル形式で書き込まれてもよいものである。
【図面の簡単な説明】
【図１】  本発明により作成されたデジタル／アナログ記録媒体を示す平面図及びデジタル／アナログ記録媒体を示す部分拡大図である。
【図２】  図１（ａ）の線２ａ−２ａに沿って取られた媒体を示す断面図である。変更された媒体は、媒体の一面にデジタル記録層を有するとともに、媒体の他面にはアナログ記録層を有する。また、変更された媒体は、独立したデジタル記録層及び独立したアナログ記録層を媒体の同じ側に有する。
【図３】  近接場光学を用いて、デジタル／アナログ画像記録を図１（ａ）の媒体に形成するための装置を示す模式図である。
【図４】  図１（ａ）の媒体を製造する方法を示すフローチャートである。
【図５】  （ａ）は、本発明における読取／検索装置を示す模式図であり、図２（ａ）に記載の媒体に形成された画像を検索するために使用される。（ｂ）は、（ａ）に記載の装置により、画像化するために検索及び表示された画像を示す部分拡大図である。
【図６】  （ａ）は、線６ａ−６ａに沿って取られた、図２（ｂ）の変更されたデジタル及びアナログ記録媒体を示す上平面図であり、（ｂ）は、線６ｂ−６ｂに沿って取られた、図２（ｂ）のデジタル及びアナログ記録媒体を示す下平面図であり、（ｃ）及び（ｄ）は、（ａ）のデジタル記録の一部を形成する画像の一つを示す拡大図である。
【図７】  本発明における変更された読取／検索装置を示す模式図であり、図２（ｂ）に記載の変更された媒体に形成された画像を検索するために使用されるものである。
【図８】  図２（ｃ）の更に変更されたデジタル及びアナログ記録媒体を示す上平面図である。
【図９】  本発明における他の装置を示す模式図であり、近接場光学を用いて、図２（ｃ）の媒体の同面上に記録される独立したデジタル画像及び独立したアナログ画像を形成するために使用されるものである。
【符号の説明】
５  媒体、１０  画像、１２  支持部材、１４  デジタル記録層、１６  画像層、１７  上面、１９  データビット、２０  デジタルデータストリーム、３３保護層、３４  下面、３６  画像層、３７  保護層、４９  光線、５０  装置、５１  対象、５２  光線、５３  光源、５４  対物レンズ、５５  ビームスプリッタ、５６  ソリッドイマージョンレンズ（ＳＩＬ）、５７  ステージ、５８位置決め装置、６２  レンズシステム、８０  画像層、８２  光線、８４  光源、８６  ビームスプリッタ、８８  対物レンズ、９０  ソリッドイマージョンレンズ（ＳＩＬ）、９１  レーザ、９２  ステージ、９３  光検出器、９４  位置決め装置、９５  論理・メモリ及び制御装置、９６  センサ、９７  光線、９８  レンズシステム、９９  光源、１００  ステップ、１１０  ステップ、１２０  ステップ、２００，２６０，２７０  デジタル記録、２２０，２８０，２９０  アナログ記録、２４０，２５０  画像、２８１，２８２，２８３，２８４  矢印。
【図１】
0004117180.tif 000002
【図２】
0004117180.tif 000003
【図３】
0004117180.tif 000004
【図４】
0004117180.tif 000005
【図５】
0004117180.tif 000006
【図６】
0004117180.tif 000007
【図７】
0004117180.tif 000008
【図８】
0004117180.tif 000009
【図９】
0004117180.tif 000010